(57)【要約】【課題】フィルタ清掃装置を搭載した機種と、フィルタ清掃装置の無い機種の枠体を共通化してコストダウンを行う。【解決手段】背面板２と後板３と前面カバー４とオープンパネル５とを備えた枠体６を有し、上面に吸込口７と、下部に吹出口８と、吸込口と吹出口を連通し、吸込口から吸い込んだ室内空気を吹出口から送風する送風経路９と、吸込口内面側に沿って設けたエアフィルタ１０と、エアフィルタと吹出口の間の送風経路に備えた熱交換器１１とを有し、据付板５７に背面板を係止して枠体を取り付ける空気調和機に於いて、枠体は背面板の前面に後板を有し、後板の前面に前面カバーを有して構成され、後板と背面板との間に、エアフィルタのゴミを除去するフィルタ掃除部６３で除去したゴミを下部に落下して集積するダストシュータを区画するフィルタ案内板７６を配設可能とし、フィルタ掃除部を後板とフィルタ案内板と背面板の上部に跨って配置した。【選択図】図２
2018204806.tif 000002
【特許請求の範囲】
【請求項１】
背面板と後板と前面カバーとオープンパネルとを備えた枠体を有し、
前記枠体の上面に吸込口と、
前記枠体の下部に吹出口と、
前記吸込口と吹出口を連通し、前記吸込口から吸い込んだ室内空気を吹出口から送風する送風経路と、
前記送風経路の吸込口内面側に沿って設けたエアフィルタと、
前記エアフィルタと吹出口の間の送風経路に備えた熱交換器と、を有し、室内の壁面に設けられた据付板に前記背面板を係止して前記枠体を取り付ける空気調和機に於いて、
前記枠体は、前記背面板の前面に前記後板を有し、前記後板の前面に前記前面カバーを有して構成され、
前記後板と前記背面板との間に、前記エアフィルタのゴミを除去するフィルタ掃除部で除去したゴミを下部に落下して集積するダストシュータを区画するフィルタ案内板を配設可能とし、前記フィルタ掃除部を、前記後板とフィルタ案内板と背面板の上部に跨って配置したことを特徴とする空気調和機。
【請求項２】
前記フィルタ案内板は、その外寸が前記後板の背面側の内寸よりも小さくされていることを特徴とする請求項１記載の空気調和機。
【請求項３】
前記後板の後端内側には後板後端係合部を、前記フィルタ案内板の後板側端部には案内板前端部を、前記フィルタ案内板の背面板側端部には案内板後端部を、前記背面板の後板側には背面板前端部を有し、
前記後板後端係合部は前記案内板後端部と略同形状に形成し、
前記案内板前端部は前記背面板前端部と略同形状にすることで、前記フィルタ案内板を取り除いても、前記後板を前記背面板に取り付け可能としたことを特徴とする請求項１または２に記載の空気調和機。
【請求項４】
前記背面板には案内板取付ボスと後板取付ボスＡとを有し、
前記フィルタ案内板には前記案内板取付ボスに対向する背面板取付穴と、後板取付ボスＢとを有し、
前記後板には前記後板取付ボスＢに対向する固定取付穴を有し、
前記後板取付ボスＡと後板取付ボスＢと固定取付穴を同軸に構成し、
前記フィルタ案内板とフィルタ掃除部を配設する場合には、前記案内板取付ボスと背面板取付穴を介して前記背面板に前記フィルタ案内板を固定し、前記後板取付ボスＢと固定取付穴を介して前記フィルタ案内板に前記後板を固定し、
前記フィルタ案内板とフィルタ掃除部を配設しない場合には、前記後板取付ボスＡと固定取付穴を介して前記背面板に前記後板を固定するようにしたことを特徴とする請求項１から３のいずれか一項記載の空気調和機。
する空気調和機。
【発明の詳細な説明】
【技術分野】
【０００１】
この発明は、空気調和機に関するもので、特にエアフィルタの自動清掃機能を供えた空気調和機に関するものである。
【背景技術】
【０００２】
従来、空気調和機に於いては、送風ファンにより吸い込んだ室内空気を、熱交換器に通過させることにより冷却または加熱して室内へと返流させるが、空気中に浮遊する塵埃が熱交換器を汚染するのを防止するため、熱交換器の風上側にエアフィルタが設けられている。このエアフィルタに塵埃が付着して目詰まりが生じ通風抵抗が増大すると、熱交換が妨げられるために空気調和機の空調能力が低下すると共に、消費電力が増大する。このような不都合を解消するため、エアフィルタの自動清掃機能を供えた空気調和機が種々提案されている。
【０００３】
エアフィルタを自動的に清掃する場合、エアフィルタの全面を清掃ブラシで掃除するため、エアフィルタと清掃ブラシとの少なくともいずれか一方を移動させる必要がある。
エアフィルタを移動させる方式では、エアフィルタを移動させる移動経路を備え、この移動経路の途中に配されエアフィルタを移動させる移送手段とを備え、熱交換器の前方側空間に移動経路をＵ字状に折り返して形成し、更に、移動経路に接して回転ブラシと、このブラシで掻き取ったゴミを蓄えるダストボックス等のフィルタ清掃装置を熱交換器の前方側空間に備え、エアフィルタを移動させることによって、フィルタ清掃装置で自動清掃を行うものがある。（例えば、特許文献１参照）
【０００４】
また、清掃手段（清掃ブラシやダストボックス等）をフィルタ表面全体に移動させ自動清掃を行うものもある。
また、清掃手段とフィルタ移送手段（フィルタ巻き取り装置等）を枠体内の上部後方でエアフィルタの先端部分に設けて、フィルタ先端を巻き取りながらブラシによって自動清掃を行うものがある。（例えば、特許文献２参照）
【先行技術文献】
【特許文献】
【０００５】
【特許文献１】特許４１７５４０９号公報
【特許文献２】特開２００２−５５０４号公報
【発明の概要】
【発明が解決しようとする課題】
【０００６】
これら従来例の空気調和機では、フィルタ清掃装置の構造は複雑であり、多数の部品から構成され製造コストが上昇するため、製品価格も大幅に上昇する。
また、空気調和機の内部にフィルタ清掃装置を組み付ける大きな空間が必要であり、この組み付け空間があることで、空気調和機全体（特に奥行き寸法）が大きくなるものだった。
そこで、同じ枠体の空気調和機でフィルタ清掃装置を搭載せずに安価な機種を作成した場合には、枠体内のフィルタ清掃装置の取付け空間はそのままなので空気調和機全体は大きいままであり、初めからフィルタ清掃装置を搭載しない機種と比較すると大きいことにより材料費や輸送費等が上昇する問題があった。
【課題を解決するための手段】
【０００７】
上記課題を解決するために、特にその構成を、背面板と後板と前面カバーとオープンパネルとを備えた枠体を有し、前記枠体の上面に吸込口と、前記枠体の下部に吹出口と、前記吸込口と吹出口を連通し、前記吸込口から吸い込んだ室内空気を吹出口から送風する送風経路と、前記送風経路の吸込口内面側に沿って設けたエアフィルタと、前記エアフィルタと吹出口の間の送風経路に備えた熱交換器と、を有し、室内の壁面に設けられた据付板に前記背面板を係止して前記枠体を取り付ける空気調和機に於いて、前記枠体は、前記背面板の前面に前記後板を有し、前記後板の前面に前記前面カバーを有して構成され、前記後板と前記背面板との間に、前記エアフィルタのゴミを除去するフィルタ掃除部で除去したゴミを下部に落下して集積するダストシュータを区画するフィルタ案内板を配設可能とし、前記フィルタ掃除部を、前記後板とフィルタ案内板と背面板の上部に跨って配置したものである。
【発明の効果】
【０００８】
この発明によれば、後板の背面側にフィルタ案内板と背面板を積層して組み立て可能とし、後板とフィルタ案内板と背面板の上部にフィルタ掃除部を備えることで、フィルタ清掃装置を搭載した高級機種と、フィルタ清掃装置を搭載しない安価な機種で、空気調和機の奥行き寸法を簡単に短くすることができる。
また、フィルタ清掃装置を搭載した高級機種と、フィルタ清掃装置を搭載しない安価な機種で、同じ枠体の金型を使用することができ、かつ、部品の共通化や組立作業の共通化することでコストダウンをすることができる。
また、１種類の背面板と据付板で、フィルタ清掃装置を搭載した高級機種と、フィルタ清掃装置を搭載しない安価な機種の２種類の機種を設けることができる。
【図面の簡単な説明】
【０００９】
【図１】この発明一実施例の斜視図。
【図２】同全体の断面図。
【図３】同展開斜視図。
【図４】同ユニット枠の平面図。
【図５】同ユニット枠の右側面図。
【図６】同図４に示すＡ−Ａ断面図。
【図７】同ブラシの正面図。
【図８】同フィルタ駆動部の正面図。
【図９】同左モータユニットの展開斜視図。
【図１０】同背面板の正面図。
【図１１】同フィルタ案内板の正面図。
【図１２】同後板の正面図。
【図１３】同後板の斜視図。
【図１４】同後板とフィルタ案内板と背面板の取付を説明するＢ−Ｂ断面図。
【図１５】同後板と背面板の取付を説明するＢ−Ｂ断面図。
【図１６】同前面カバーの斜視図。
【図１７】同前面カバーのＣ−Ｃ断面図。
【図１８】同フィルタの正面図。
【図１９】フイルタ案内板とフィルタ清掃部を取り外した場合の全体の断面図。
【図２０】同据付板の正面図。
【図２１】同制御回路の略図。
【発明を実施するための形態】
【００１０】
次に、この発明の空気調和機の実施の形態で、フィルタ清掃機能を組み込んだ構成について、図面を基に説明する。１はセパレート式空気調和機の室内機で、背面板２と後板３と前面カバー４とオープンパネル５で枠体６を形成し、前記前面カバー４の前面に位置する前記オープンパネル５上部左右に設けた支軸（図示せず）を支点として前面カバー４の前方へ開閉自在に取付られる。
【００１１】
前記前面カバー４の上面には横長格子状の吸込口７を備え、前面カバー４の下方から底面には斜め前方に温度調節された空気を吹き出す横長の吹出口８を設け、吸込口７から吹出口８の間に送風経路９を形成している。この送風経路９の前記吸込口７内側には、吸込空気内に混在するゴミを取り除く左右一対のエアフィルタ１０を有し、このエアフィルタ１０の更に内側（下流側）には、横長のフィンチューブ式の熱交換器１１を有し、その前後方向の中間部を頂部として側面視で逆Ｖ字状に配置されている。また前記熱交換器１１の下方には横長のクロスフローファンから成る送風ファン１２を、前記吹出口８には運転時に上下方向の吹出風の風向を調整すると共に、停止時には自動的に吹出口８を閉じる上下風向板１３と左右方向の吹出風の風向を調整する左右風向板１４を有している。
【００１２】
１５はブラシユニットで、横長格子状の縦枠１６と横枠１７で前記吸込口７を形成するユニット枠１８の先端にエアフィルタ１０の掃除を自動で実施するためのブラシ１９と、エアフィルタ１０を背面側に移動させるフィルタ駆動部２０を有している。また、前記ユニット枠１８は後ろ側の両端に突出する左右端部２１を有し、この左右端部２１にそれぞれブラシ取付孔２２を形成し、このブラシ取付孔２２にブラシ１９の回転軸２３を挿入することでブラシ１９はブラシ取付孔２２を中心に回転する。また、前記左右端部２１のブラシ取付孔２２よりも前方で左右外側には一対のスライド突起２４を有し、ブラシユニット１５着脱時のガイドとして使用する。また、縦枠１６の前端外側には左右一対の係止突起２５を有し、ブラシユニット１５装着時のストッパとして使用する。また前記縦枠１６のスライド突起２４よりも更に前方にはフィルタ駆動部取付孔２６を備えている。また、左右の縦枠１６の内側面にはエアフィルタ１０が移動する際にガイドの役目をするスライド溝２７を備えている。また、前記ブラシ１９の両端にはブラシ１９の回転力を伝えるブラシ歯車２８を有している。
【００１３】
前記フィルタ駆動部２０はアルミニューム製の棒から成る駆動軸２９と、この駆動軸２９の両端に貫通固定した一対の駆動歯車３０を有する。また駆動歯車３０よりも外側に駆動軸２９が突出してフィルタ駆動部取付孔２６に挿入することでフィルタ駆動部２０はフィルタ駆動部取付孔２６を中心に回転する。
【００１４】
４０はモータユニットで前記ブラシ１９の駆動源となるブラシモータ４１と、フィルタ駆動部２０の駆動源となる送りモータ４２を有している。このブラシモータ４１と送りモータ４２は正逆回転可能なステップモータを使用し、制御部４３からの信号に応じてブラシ１９とフィルタ駆動部２０を作動してエアフィルタ１０の自動掃除を行う。
【００１５】
４４はモータ取付板で、一方の面にブラシモータ４１と送りモータ４２をネジ止めし、モータ軸４５・４６と他方の面に備えた連動ギア４７・４８をモータ取付板４４の貫通孔４９・５０で貫通して接続する。５１はギアカバーで、前記連動ギア４７・４８を覆うと共に軸孔５２・５３を備え、前記貫通孔４９・５０と軸孔５２・５３の間に連動ギア４７・４８を回動自在に保持する。また、ギアカバー５１はモータ取付板４４の端部に設けた爪部５４と係止部５５で係止してモータ取付板４４に取り付ける。また、モータユニット４０は前記背面板２の上部左右端にネジ止めするための固定孔５６を有している。また、モータユニット４０は１つのエアフィルタ１０に対して１セット備えられ、左側に配置されたエアフィルタ１０に対応する左モータユニット４０Ｌと、右側に配置されたエアフィルタ１０に対応する右モータユニット４０Ｒとを有し、前記左モータユニット４０Ｌと右モータユニット４０Ｒは左右対称形に構成している。
【００１６】
５７は室内の壁面に室内機１を取り付けるための据付板で、この据付板５７の上部には左右一対の舌片５８を、下部には前方に左右一対の係止片５９を前方に突出し、この係止片５９には係止孔６０を有し、前記舌片５８の下方には水平方向に長い４本の長孔６１を平行に有し、前記係止片５９の上方には６つのネジ穴６２を左右一対設けている。また、据付板５７が取り付けられる位置や壁面の状態、材質等に応じて長孔６１やネジ穴６２を適宜選択して据付板５７を壁面にネジ止めする。また、前記ブラシユニット１５とモータユニット４０によってフィルタ掃除部６３を形成する。
【００１７】
前記背面板２は室内機１の最後部を構成し、背面上部には前記舌片５８に係止する係止手段として係止凹部６５と、背面下部には前記係止孔６０に爪引っ掛けで固定するための爪部６６を有している。また、背面板２の前面側には前記ブラシ１９側から落下してくるゴミを下方に送るダストシュータ６７（第２空間）の後面６８を備え、この後面６８から前方側に垂直に立設する複数の側壁６９を有している。また、前記舌片５８を前記係止凹部６５に挿入することで、背面板２の上部を据付板５７に係止する。また、前記爪部６６を係止孔６０に係止することで背面板２の下部を据付板５７に固定する。
【００１８】
前記側壁６９の左側上部と背面板２の左側枠体７０の間に前記左モータユニット４０Ｌを取り付ける左モータユニット取付部７１を備え、左モータユニット４０Ｌを取り付けてモータ取付板４４の固定孔５６にネジ止め固定する。また、右端の側壁６９の右側上部で右側枠体７２との間には右モータユニット取付部７３が設けられ右モータユニット４０Ｒを同様にネジ止め固定する。また、前記背面板２の左右方向略中央の上下で、左右のダストシュータ６７の間には後面６８から前方側に円柱状に立設し中央に約直径３ｍｍの穴を有する案内板取付ボス７４を備え、この案内板取付ボス７４の約１０ｍｍ下部に連なって後板取付ボスＡ７５を備える。この後板取付ボスＡ７５の中央には同じく約３ｍｍの穴を有している。また、案内板取付ボス７４と後板取付ボスＡ７５は、前記左モータユニット取付部７１の下部と、左側枠体７０の内側下角と、右側枠体７２の内側上角と、右側枠体７２の内側下角の合計６か所有している。
【００１９】
７６はフィルタ案内板で前記案内板取付ボス７４に対向して背面板取付穴７７を備え、この背面板取付穴７７をネジ７８で貫通して案内板取付ボス７４に６か所ネジ止めすることでフィルタ案内板７６を背面板２に固定する。このとき、背面板２の枠体前端部７９の内側にフィルタ案内板７６の枠体後端部８０が嵌合して、フィルタ案内板７６と背面板２の枠体がほぼ平面に形成される。また、背面板２に形成された後板取付ボスＡ７５と同軸の位置に、後板取付ボスＡ７５とほぼ同じ形状の後板取付ボスＢ８１を有している。また、フィルタ案内板７６の背面は前記ダストシュータ６７（第２空間）の前面８２を形成し、この前面８２と後面６８の間をゴミが落下する。
【００２０】
８３は前記フィルタ案内板７６の上部に平行に備えたクシ歯で、このクシ歯８３の先端がブラシ１９に食い込んで、ブラシ１９で掻き取ったエアフィルタ１０のゴミをブラシ１９から分離してダストシュータ６７側へ落とすようにはたらく。クシ歯８３は先端をブラシ１９の回転軸２３の方向に向かって突出し、ブラシ１９の毛量や剛性に応じてブラシ１９の食い込み量を、ブラシ１９とクシ歯８３の距離を可変して調整できる。８４は前記フィルタ案内板７６の左右端に後板３方向に突出して備えた側板で、フイルタ清掃の際にエアフィルタ１０の左右端がスライドする案内溝８５を有している。また、フイルタ清掃の際には後板３とフィルタ案内板７６の間の空間であるフィルタ経路８６（第１空間）内をフィルタ１０が上下方向に摺動する。
【００２１】
前記後板３の上部にはブラシユニット１５取り付け用のコの字形上面開口部８７を２つ備え、この上面開口部８７の左右内側面にはブラシユニット１５のスライド突起２４を案内する溝８８を有する。８９は後部ドレンパンで、上方に前記熱交換器１１の後部が配置され、冷房運転時には熱交換器１１後部から発生する結露水を集積排水する。９０はケーシングで、前方には所定の空間を隔てて前記送風ファン１２を備えている。送風ファン１２は横長円柱状で多数の羽根を有するクロスフロー型のファンで、ケーシング９０の左側面９１に取り付ける軸受け（図示せず）と、ケーシング９０の右側面９２の右側に取り付けられる送風モータ９３の回動軸９４との間で垂直方向に回転する。
【００２２】
９５は前記フィルタ案内板７６の後板取付ボスＢ８１と、前記背面板２の後板取付ボスＡ７５と、同軸の位置に設けた固定取付穴で、ネジ９６によって固定取付穴９５を貫通して、後板３をフィルタ案内板７６に固定する。
【００２３】
前記後板３の後端内側には後板後端係合部９７を設け、前記フィルタ案内板７６の案内板前端部９８を覆うようにして嵌合する。また、前記後板後端係合部９７は案内板後端部８０と同じ形状に形成し、前記案内板前端部９８は背面板前端部７９と同じ形状にすることで、フィルタ案内板７６を取り除いても後板３を背面板２に取り付けることができる。また、前記背面板２は、その外寸が後板３の後端部の内寸よりも小さくすることで、後板３の後端部に入り込むように取り付けられる。これによって、室内機１の奥行き寸法がフィルタ案内板７６の寸法分薄く小さくなることでコストダウンを行うことができる。
【００２４】
９９は前部ドレンパンで、上方に前記熱交換器１１の前部が配置され、冷房運転時には熱交換器１１前部から発生する結露水を集積排水する。また、前部ドレンパン９９の左右端には取付脚（図示せず）を備え、この取付脚を後板３に嵌め込んで取り付けられる。
【００２５】
１００はダストボックスで、後板３の底面で前記ダストシュータ６７の下部に備えるゴミ排出口１０１に下方から着脱自在に取り付ける。エアフィルタ１０の自動掃除で発生したゴミを数ヶ月から１年の間蓄えることのできる充分な容積を備えている。１０２は後板３の略四隅に備える前面カバー取付穴で、前面カバー４がネジ止め固定される。
【００２６】
前記前面カバー４は左側板１１０と右側板１１１の間の上面を繋ぐ上フレーム１１２と、底面を繋ぐ下フレーム１１３と、前面中央より稍下方を繋ぐ前フレーム１１４と、左右方向の略中央で上フレーム１１２と前フレーム１１４を垂直に接続する中央フレーム１１５とを備えている。左側板１１０と中央フレーム１１５の上部内側には、後板３の溝８８と連続する溝１１６と、この溝１１６の前方にコの字型係止部１１７とを有し、この溝８８・１１６によってブラシユニット１５のスライド突起２４を案内し、ブラシユニット１５が最後部に突き当たった状態で下方に引き下ろすことで、ブラシユニット１５の係止突起２５がコの字型係止部１１７に嵌り込み、ブラシユニット１５をセットすることができる。
【００２７】
１１８は前記溝１１６の下方に備えたフィルタ溝で、ブラシユニット１５のスライド溝２７に連続して接続され、前記エアフィルタ１０の左右端部を保持する。フィルタ溝１１８の下端にはフィルタ挿入部１１９を備え、方形状で柔軟性を有するエアフィルタ１０をフィルタ挿入部１１９からフィルタ１０の先端がブラシ１９とフィルタ駆動部２０まで差し込むとフィルタ１０の通常状態（空気調和機運転時の位置）にセットされる。１２０は左側板１１０と右側板１１１の上面に貫通して設けた取付孔で、前記後板３の前面カバー取付片９７先端の突起９８が係止して前面カバー４上部を固定する。前面カバー４上部を係止後に前面カバー４下部を下部取付孔（図示せず）で後板３にネジ止め固定する。前フレーム１１４と下フレーム１１３の間には前記吹出口８が形成され吹出口８の左右方向の略中央には前フレーム１１４と下フレーム１１３を垂直に補強する補強フレーム１２１を備え、吹出口８下部の下フレーム１１３には回動自在に取り付けられた前記左右風向板１４を有している。また、吹出口８の側壁には回動自在に前記上下風向板１３を有している。
【００２８】
前記エアフィルタ１０は方形状で多数の縦桟１２４と横桟１２５に、樹脂製の網１２６を溶着して設けられ、両端の縦桟１２４にはフィルタ駆動部２０の駆動歯車３０と噛み合うラック１２７を有している。フィルタ清掃時には駆動歯車３０の回転によりフィルタ１０が駆動歯車３０とブラシ１９の間を通過してフィルタ案内板７６の方向に送られる。また、駆動歯車３０とブラシ１９の間を通過する際にはエアフィルタ１０の表面に付着したゴミをブラシ１９で除去する。フィルタ掃除手段は前記ラック１２７に係合してフイルタ１０をフイルタ案内板７６側へ送る駆動歯車３０と、駆動歯車３０を回転する送りモータ４２とフイルタ１０の表面に付着したゴミを取り除くブラシ１９と、ブラシ１９を回転するブラシモータ４１と、ブラシ１９に付着したゴミをダストシュータ６７側へ掻き落とすクシ歯部８３で構成される。
【００２９】
前記オープンパネル５は、前面カバ−４の上部左右両端に備えた一対の係止軸（図示せず）に対向して係止部（図示せず）を中心に回動自在に設け、オープンパネル５の下部両端は前面カバ−４の前フレーム１１４に係止して固定される。
【００３０】
前記制御部４３は入力側には運転スイッチ（図示せず）やタイマースイッチ（図示せず）等のスイッチ類を備えた操作部１２８と、室温センサ１２９と、湿度センサ１３０と、熱交センサ１３１や、前記フィルタ案内板７６のフィルタ経路８６（第１空間）に装着され、フィルタ１０の位置を検知するフイルタセンサ１３２等が接続されている。また、制御部４３の出力側には前記送風モータ９３や、熱源機である室外機（図示せず）と接続する室外信号線１３３や、左右に２セット備えたブラシモータ４１、送りモータ４２等が接続されている。フイルタセンサ１３２は押圧式のマイクロスイッチでフィルタ１０の先端の到達を検知する。
【００３１】
室内機１の組立手順について説明する。まず、背面板２の左モータユニット取付部７１に左モータユニット４０Ｌを、右モータユニット取付部７３に右モータユニット４０Ｒをそれぞれ組み込んでネジ止めする。次に、背面板２の案内板取付ボス７４にフィルタ案内板７６の背面板取付穴７７を貫通して、左右方向の略中央部上下と四隅の合計６か所ネジ止め固定する。これによって、背面板２の枠体前端部７９の内側にフィルタ案内板７６の枠体後端部８０が嵌合して、フィルタ案内板７６と背面板２の枠体をほぼ同一平面で接続する。
【００３２】
次に、フィルタ案内板７６の更に前方に後板３を取り付ける。フィルタ案内板７６に立設した後板取付ボスＢ８１に後板３の
固定取付穴９５を貫通して６か所ネジ止め固定することで後板３がフィルタ案内板７６に固定される。次に、ケーシング９０の前方で左側面９１と右側面９２の間に送風ファン１２が位置するように軸受けや送風モータ９３と共に固定する。次に、前部ドレンパン９９を送風ファン１２の前方に取り付けた後に、熱交換器１１を前部ドレンパン９９と後部ドレンパン８９を跨いで取り付ける。また、後板３底面のゴミ排出口１０１に下方からダストボックス１００を取り付ける。
【００３３】
次に、前面カバー４の後板３への取付を説明する。まず、後板３の左右上端に備えた前面カバー取付片９７の突起９８を、前面カバ−４の左右上端に備えた取付孔１２０に係止する。次に、取付孔１２０の係止状態で前面カバー４の全体を回動して前面カバー４を後板３に密着させ、前面カバー４の下部両端に一対備えた取付孔（図示せず）を貫通して後板３の前面カバー取付穴１０２にネジ止め固定する。
【００３４】
次に、ブラシユニット１５を前面カバー４の前方から左右に備えたスライド突起２４を前面カバー４の溝１１６に沿って後方へスライドさせ、溝１１６から連なる後板３の溝８８に案内し、ブラシユニット１５が最後部に突き当たった状態で下方に引き下ろすことで、ブラシユニット１５の係止突起２５が前面カバー４のコの字型係止部１１７に嵌り込み、ブラシユニット１５がセットされる。
【００３５】
次に、エアフィルタ１０をフィルタ挿入部１１９から挿入する。フィルタ１０の先端はフイルタ溝１１８からユニット枠１８のスライド溝２７を経由してブラシ１９とフィルタ駆動部２０位置に突き当たってフィルタ１０のセットが完了する。この位置が室内機の通常運転時のフィルタ位置になる。次に、オープンパネル５を前面カバ−４の上フレーム１１２と前フレーム１１４に係止して取り付ければ室内機１の組立が完了する。
【００３６】
室内の壁面への取付について説明すれば、まず、前記据付板５７が室内の壁面に取り付けられる、位置や壁面の状態、材質等に応じて長孔６１やネジ穴６２を適宜選択して据付板５７を壁面にネジ止めする。次に、据付板５７上部の舌片５８に、背面板２の係止凹部６５を挿入して係止することで、背面板２の上部を据付板５７に係止する。そして、据付板５７の下部の係止片５９に備えた係止孔６０に、背面板２の爪部６６を係止することで背面板２の下部を据付板５７に固定する。
【００３７】
フィルタ１０の自動掃除運転の作動について説明する。室内機が空調運転を行うとフイルタ１０には室内に漂う空気中のゴミが吸込空気に混じって集積する、運転時間が長くなれば集積するゴミが多くなり熱交換器１１の熱交換効率が低下する前にフィルタ１０の掃除が必要になる。制御部４３で運転積算時間やその他掃除のタイミングを決定してフィルタ１０の自動掃除運転を開始する。ブラシモータ４１と送りモータ４２が回転を開始し、各モータの回転力がブラシ歯車２８と駆動歯車３０に伝わり、ブラシ１９とフィルタ駆動部２０か回転を開始する。フィルタ駆動部２０の回転によってフィルタ１０のラック１２７が噛み合い、フィルタ１０が後方のフィルタ経路８６（第１空間）側に徐々に引き込まれる。これと一緒にブラシ１９が回転してフィルタ１０の上面側に集積したゴミを取り除く。ブラシ１９に付着したゴミはフィルタ案内板７６のクシ歯８３でダストシュータ６７側に掻き落とされて、ダストシュータ６７内を落下しダストボックス１００に集積する。
【００３８】
フィルタ１０の先端がフィルタ経路８６の下端に備えたフィルタセンサ１３２の位置に到達することで、送りモータ４２が逆回転に反転し、フィルタ１０は前面カバー４のフィルタ挿入部１１９側に戻っていく、この時ブラシモータ４１は正回転のまま回転を続けることでブラシ１９やクシ歯８３のゴミが逆戻りすることはない。このようなフィルタ１０の往復動作（掃除動作）を数回繰り返せば、フィルタ１０の掃除を確実にきれいにできる。そして、次回の自動掃除のタイミングが訪れるまで通常の空調運転を行うことを繰り返す。自動掃除運転の間隔は積算時間だけでなく、単純に時刻や曜日など色々に設定できる。また、操作部１２８やリモコン（図示せず）に手動掃除ボタンを設ければ、使用者だ手動で掃除運転を行うことができる。ダストボックス１００に溜まったゴミは後板３のゴミ排出口１０１からダストボックス１００を下方に取り外して行う。
【００３９】
このようにすることで、ゴミ捨て作業は数ヶ月または１年に１回等必要に応じて行われるが、ダストシュータ６７下部に取り除いたゴミを集積し、大きなゴミ溜め空間を確保でき、空気調和機の全体寸法も比較的小さくでき、美観も向上できる。また、大きなゴミ溜め空間を確保することで、ゴミ捨て作業の回数も少なくすることができ、ゴミが充満するすることが原因で発生するゴミの漏出や故障を防止できる。
【００４０】
また、フィルタ１０がブラシ１９とフイルタ駆動２０の間を通過する前後の変形角度も比較的小さいのでフィルタ１０を痛めることも少なくなり、これによってフィルタ１０が切れたり破れたりする故障も少なくすることができる。また、フィルタ案内板７６を背面板２と後板３の間に設けることで、フイルタ経路８６を確実に確保することで自動掃除運転時のフィルタ１０の移動を極めてスムーズに行うことができる。
【００４１】
次に、フィルタ清掃機能を搭載せずに安価な機種を作成した場合の構成を、図１５と図１９を基に説明する。
【００４２】
前記フィルタ掃除部を搭載した高級機種の構成から、ブラシユニット１５とモータユニット４０、フィルタ案内板７６、ダストボックス１００を取り除き、背面板２に直接後板３を取り付ける。具体的には、背面板２の後板取付ボスＡ７５に背面板２の
固定取付穴９５を貫通してネジ９６にて６か所ネジ止めする。背面板２の背面板前端部７９が、後板３の後端内側に形成した後板後端係合部９７に嵌合して取り付けられれる。また、背面板２は、その外寸が後板３の背面側の内寸よりも小さくされることで、後板３の後端部に入り込むように取り付けられる。これによって、室内機１の奥行き寸法がフィルタ案内板７６の寸法分薄く小さくすることでコストダウンを行うことができる。
【００４３】
前記ブラシユニット１５を取り除くと、前面カバー４から後板３の上面は上面開口部８７となるが、吸込口７として開口しているので上面開口部８７の下方に備えたエアフィルタ１０が正常にスライドして取り付けられれば良いもので、上面開口部８７をそのまま吸込口７としても良く、または、ブラシユニット１５からブラシ１９とフィルタ駆動部２０を取り外してユニット枠１８のみを取り付けて吸込口７の保護枠として使用しても良い。
【００４４】
次に、ダストボックス１００を取り除くと、後板３底面にゴミ排出口１０１が表れる。このゴミ排出口１０１が開口すれば、ゴミ排出口１０１から室内の空気を吸い込みエアフィルタ１０をバイパスする問題と、意匠の低下を防止するために排出口閉塞板１４０が必要になる。この排出口閉塞板１４０はゴミ排出口１０１よりもやや大きく横長方形状の板を係止して取り付ける。
【００４５】
このようにすることで、フィルタ清掃装置を搭載した高級機種と、フィルタ清掃装置を搭載しない安価な機種で、空気調和機の奥行き寸法を簡単に短くすることができる。また、フィルタ清掃装置を搭載した高級機種と、フィルタ清掃装置を搭載しない安価な機種で、同じ枠体の金型を使用することができ、かつ、部品の共通化や組立作業の共通化することでコストダウンをすることができる。また、１種類の後板３と背面板２と据付板５７で、フィルタ清掃装置を搭載した高級機種と、フィルタ清掃装置を搭載しない安価な機種の２種類の機種を設けることができる。
【符号の説明】
【００４６】
２    背面板
３    後板
４    前面カバー
５    オープンパネル
１０    エアフィルタ
１１    熱交換器
１２    送風ファン
１５    ブラシユニット
１９    ブラシ
２０    フィルタ駆動部
４０    モータユニット
５７    据付板
６３    フィルタ掃除部
６５    係止凹部（係止手段）
６７    ダストシュータ（第２空間）
７４    案内板取付ボス
７５    後板取付ボスＡ
７６    フィルタ案内板
７７    背面板取付穴
８１    後板取付ボスＢ
８６    フィルタ経路（第１空間）
１００    ダストボックス
【図１】
2018204806.tif 000003
【図２】
2018204806.tif 000004
【図３】
2018204806.tif 000005
【図４】
2018204806.tif 000006
【図５】
2018204806.tif 000007
【図６】
2018204806.tif 000008
【図７】
2018204806.tif 000009
【図８】
2018204806.tif 000010
【図９】
2018204806.tif 000011
【図１０】
2018204806.tif 000012
【図１１】
2018204806.tif 000013
【図１２】
2018204806.tif 000014
【図１３】
2018204806.tif 000015
【図１４】
2018204806.tif 000016
【図１５】
2018204806.tif 000017
【図１６】
2018204806.tif 000018
【図１７】
2018204806.tif 000019
【図１８】
2018204806.tif 000020
【図１９】
2018204806.tif 000021
【図２０】
2018204806.tif 000022
【図２１】
2018204806.tif 000023